(57)【要約】【課題】  高精細テレビジョンカメラヘッドと、高精細テレビジョン映像信号を標準テレビジョン映像信号に信号変換するテレビジョン信号変換装置とにそれぞれ所定の特性に補正する補正回路を設け、各補正回路の特性値をそれぞれ調整することができるとともに、各補正回路の特性値を相関連動して調整する。【解決手段】  高精細テレビジョンカメラヘッドと、テレビジョン信号変換回路とを有し、高精細テレビジョン映像信号と標準テレビジョン映像信号とを出力する高精細テレビジョンカメラ装置において、高精細テレビジョンシステムに応じた特性に映像信号を補正する補正回路を備えた高精細テレビジョンカメラヘッドと、テレビジョン信号変換回路、および標準テレビジョンシステムに応じた特性にテレビジョン信号変換回路で信号変換された標準テレビジョン映像信号を補正する補正回路とを備えたカメラコントロールユニットからなる。【選択図】  図１
2005260999.tif 000002
【特許請求の範囲】
【請求項１】
高精細テレビジョン映像信号を出力する高精細テレビジョン撮像素子と、該高精細テレビジョン撮像素子からの前記高精細テレビジョン映像信号のガンマ値、輪郭、黒バランス、マスキング値のすくなくとも１つを高精細テレビジョン映像信号の第１の適正値となるよう補正して出力する高精細テレビジョン映像信号用映像信号補正回路とを有する高精細テレビジョン撮像部と、
前記高精細テレビジョン撮像素子からの前記補正された高精細テレビジョン映像信号を伝送する伝送路と、
前記伝送路を介して伝送された前記補正された高精細テレビジョン映像信号を出力する高精細テレビジョン映像信号出力端子と、前記補正された高精細テレビジョン映像信号を第１の標準テレビジョン映像信号に変換して出力するテレビジョン信号変換回路と、該テレビジョン信号変換回路からの前記第１の標準テレビジョン映像信号のガンマ値、輪郭、黒バランス、マスキング値のすくなくとも１つを標準テレビジョン映像信号の第２の適正値となるよう補正して出力する前記テレビジョン信号変換回路に結合された標準テレビジョン映像信号用映像信号補正回路と、該標準テレビジョン映像信号用映像信号補正回路に結合された標準テレビジョン映像信号出力端子と、を有することを特徴とする高精細テレビジョンカメラ装置。
【請求項２】
請求項１に記載の高精細テレビジョンカメラ装置において、前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部による調整値を示す標準テレビジョン映像信号用制御信号を出力する制御部とを備える制御装置を有し、
前記高精細テレビジョン撮像部は、前記高精細テレビジョン撮像素子からの前記高精細テレビジョン映像信号のガンマ値、輪郭、黒バランス、マスキング値のすくなくとも１つの特性を前記制御装置からの前記高精細テレビジョン映像信号用制御信号が示す調整値となるよう補正して出力する高精細テレビジョン映像信号用映像信号補正回路を備え、
前記カメラ制御部は、前記テレビジョン信号変換回路からの前記第１の標準テレビジョン映像信号のガンマ値、輪郭、黒バランス、マスキング値のすくなくとも１つを前記制御装置からの前記標準テレビジョン映像信号用制御信号が示す調整値となるよう補正して出力する標準テレビジョン映像信号用映像信号補正回路を備えることを特徴とする高精細テレビジョンカメラ装置。
【請求項３】
請求項１に記載の高精細テレビジョンカメラ装置において、前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部よる調整値を示す標準テレビジョン映像信号用制御信号を前記カメラ制御部に出力する制御部とを備える制御装置を有し、
前記高精細テレビジョン撮像部は、前記高精細テレビジョン撮像素子からの前記高精細テレビジョン映像信号のガンマ値、輪郭、黒バランス、マスキング値のすくなくとも１つの特性を前記制御装置から前記カメラ制御部と前記伝送路とを介して伝送された前記高精細テレビジョン映像信号用制御信号が示す調整値となるよう補正して出力する高精細テレビジョン映像信号用映像信号補正回路を備え、
前記カメラ制御部は、前記制御装置からの前記高精細テレビジョン映像信号用制御信号を前記伝送路を介して前記高精細テレビジョン撮像部に伝送すると共に前記制御装置からの標準テレビジョン映像信号用制御信号を標準テレビジョン映像信号用映像信号補正回路に与える中央処理装置と、前記テレビジョン信号変換回路からの前記第１の標準テレビジョン映像信号のガンマ値、輪郭、黒バランス、マスキング値のすくなくとも１つを前記中央処理装置からの前記標準テレビジョン映像信号用制御信号が示す調整値となるよう補正して出力する標準テレビジョン映像信号用映像信号補正回路を備えることを特徴とする高精細テレビジョンカメラ装置。
【請求項４】
高精細テレビジョン撮像素子と該高精細テレビジョン撮像素子と伝送路を介して結合されたカメラ制御部とを有する高精細テレビジョンカメラ装置において、
高精細テレビジョン映像信号を出力する高精細テレビジョン撮像素子と、該高精細テレビジョン撮像素子からの前記高精細テレビジョン映像信号のガンマ値、輪郭、黒バランス、マスキング値のすくなくとも１つの特性を前記高精細テレビジョン映像信号の第１の適正値となるよう補正して出力する高精細テレビジョン映像信号用映像信号補正回路と、前記補正された高精細テレビジョン映像信号を第１の標準テレビジョン映像信号に変換して出力するテレビジョン信号変換回路と、該テレビジョン信号変換回路からの前記第１の標準テレビジョン映像信号のガンマ値、輪郭、黒バランス、マスキング値のすくなくとも１つを標準テレビジョン映像信号の第２の適正値となるよう補正して出力する標準テレビジョン映像信号用映像信号補正回路とを備える高精細テレビジョン撮像部と、
前記伝送路を介して伝送された、前記補正された高精細テレビジョン映像信号を出力する高精細テレビジョン映像信号出力端子と、前記補正された標準テレビジョン映像信号を出力する標準テレビジョン映像信号出力端子とを備えるカメラ制御部と、
前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部による調整値を示す標準テレビジョン映像信号用制御信号を前記高精細テレビジョン撮像部に出力する制御部とを有する制御装置と、を有することを特徴とする高精細テレビジョンカメラ装置。
【請求項５】
請求項２乃至４に記載の高精細テレビジョンカメラ装置において、前記制御装置は、前記高精細テレビジョン映像信号の所定の特性値と前記標準テレビジョン映像信号の対応する所定の特性値とを連動して設定する特性値連動調整部を有し、前記制御部は、前記高精細テレビジョン映像信号用特性値調整部による設定値を前記特性値連動調整部の設定値により修正して前記高精細テレビジョン映像信号用制御信号として出力すると共に、前記標準テレビジョン映像信号用特性値調整部による設定値を前記特性値連動調整部の設定値により修正して前記標準テレビジョン映像信号用制御信号として出力することを特徴とする高精細テレビジョンカメラ装置。
【発明の詳細な説明】
【技術分野】
【０００１】
本発明は、高精細テレビジョンカメラ装置、特に、高精細テレビジョン撮像部とテレビジョン信号処理装置とを有し、高精細テレビジョン映像信号の出力とともに、高精細テレビジョン映像信号から信号変換した標準テレビジョン映像信号を出力することができ、各映像信号を、それぞれのテレビジョンシステムに所要の特性値、例えばガンマ値の映像信号に補正することができるように改良した高精細テレビジョンカメラ装置に関するものである。
【背景技術】
【０００２】
一般に、テレビジョンカメラは、カメラヘッド(撮像部)とカメラコントロールユニット(ＣＣＵ)とに大別することができ(一体形としたテレビジョンカメラも多用されている)、カメラヘッドは、被写体を撮像する撮像レンズ、撮像レンズからの入射光を映像信号に光電変換する撮像素子、撮像素子から入力された映像信号を所定の信号レベルまで増幅する前置増幅回路、映像信号をテレビジョンシステムに所要のガンマ値の映像信号に補正をするガンマ補正回路、ガンマ補正をした映像信号にニー処理、ホワイトクリップ処理、輪郭補償処理等の所要の信号処理を行ない所定レベルの映像信号を出力する映像信号処理回路を有し、所定レベルの映像信号をケーブルを介してカメラコントロールユニットへ送出している。
【０００３】
一方、カメラコントロールユニットは、カメラヘッドからケーブルを介して伝送されてきた所定レベルの映像信号に所要の信号処理を行ない所定レベルの映像信号をビデオモニタ、ビデオテープレコーダ等の各種機器へ出力するとともに、ケーブルを介してカメラヘッドへ所要の制御信号を送出し、カメラヘッドの所要の遠隔制御を行なっている。
前述のカメラヘッドとカメラコントロールユニットの構成は、テレビジョンカメラとして基本的なものを説明したものであり、高精細テレビジョンカメラも標準テレビジョンカメラも同様である。
【０００４】
周知のように、上述したガンマ補正回路は、被写体を撮像し被写体像の映像信号を発生するテレビジョンカメラあるいはカメラヘッドから、入力した映像信号の被写体像を再生する受像機までのテレビジョンシステム全体としての輝度伝達特性が線形となるように、テレビジョンカメラあるいはカメラヘッドの撮像素子や受像機の受像管などが持つ非線形特性を逆補正する回路である。
【０００５】
一般に、ガンマ補正を行なうに際し、撮像素子のガンマ値は約１．０、受像管のガンマ値は約２．２と想定し、テレビジョンカメラあるいはカメラヘッドの映像信号出力の適正ガンマ値は通常０．４５とされている。
しかし、高精細テレビジョン映像信号用ビデオモニタと、標準テレビジョン映像信号用ビデオモニタとでは、受像管のガンマ値、輝度信号(Ｙ)マトリックス等の諸特性に差異があるため、高精細テレビジョンカメラの映像信号出力のガンマ適正値と、標準テレビジョンカメラの映像信号出力のガンマ適正値とは、異なる場合が多い。
【０００６】
前述のように、標準テレビジョンカメラと同様に、従来、高精細テレビジョンカメラにおいても、映像信号のガンマ値を補正するためのガンマ補正回路を設け、ガンマ補正を行なった高精細テレビジョン映像信号を出力しているが、この高精細テレビジョン映像信号出力を標準テレビジョン映像信号出力に変換するテレビジョンカメラ信号変換回路を内蔵した高精細テレビジョンカメラ装置の場合、高精細テレビジョンシステムとしてのガンマ補正をした高精細テレビジョン撮像部(カメラヘッド)からの高精細テレビジョン映像信号出力をそのままテレビジョンカメラ信号変換回路で標準テレビジョン映像信号に信号変換しているため、高精細テレビジョン映像信号出力のガンマ値と、標準テレビジョン映像信号出力のガンマ値とは、常に同一であった。
【発明の開示】
【発明が解決しようとする課題】
【０００７】
従来の、高精細テレビジョン撮像部（カメラヘッド）と、高精細テレビジョン映像信号出力を標準テレビジョン映像信号出力に信号変換するテレビジョン信号変換回路を内蔵した高精細テレビジョンカメラ装置では、高精細テレビジョン映像信号出力のガンマ値と、標準テレビジョン映像信号出力のガンマ値とが同一となってしまう。
ところで、テレビジョン映像信号の諸特性のうちホワイトバランス等については、高精細テレビジョン映像信号の特性値の適正値と、標準テレビジョン映像信号の特性値の適正値とはほとんど同一であるため、それら特性値が同一となることに特に問題はない。
しかし、黒バランス、ガンマ値、輪郭、マスキング等の他の特性の各々については、高精細テレビジョン映像信号の特性値の適正値と、標準テレビジョン映像信号の特性値の適正値とは実質的に異なる。従って、黒バランス、ガンマ値、輪郭、マスキング等の特性の各々については、もし高精細テレビジョン映像信号の特性値を適正値となるように調整しても、標準テレビジョン映像信号の特性値は不適正な値となってしまう。逆に、標準テレビジョン映像信号の特性値を適正値となるように調整しても、高精細テレビジョン映像信号の特性値は不適正な値となってしまう。
また、更に、高精細テレビジョン映像信号を、テレビジョンカメラ信号変換回路で標準テレビジョン映像信号に変換する際に、規格がそれぞれ異なることにより、映像信号の特性値のうち黒バランス、ガンマ値、輪郭、マスキング等の値が変化してしまうため、従って標準テレビジョン映像信号の特性値は不適正な値となってしまうことが生じる。
【０００８】
本発明の目的は、上記の従来の技術の問題点を解消した高精細テレビジョンカメラ装置を提供することである。
本発明の別の目的は、テレビジョン映像信号の所定の特性の各々について、高精細テレビジョン撮像部(カメラヘッド)からの高精細テレビジョン映像信号の各特性値と、高精細テレビジョン映像信号をテレビジョンカメラ信号変換回路により信号変換した標準テレビジョン映像信号の各特性値とを、それぞれ個別に各適正値に調整可能な高精細テレビジョンカメラ装置を提供することである。
【課題を解決するための手段】
【０００９】
本発明は上記目的を達成するため、高精細テレビジョン映像信号を出力する高精細テレビジョン撮像素子と、該高精細テレビジョン撮像素子からの前記高精細テレビジョン映像信号のガンマ値、輪郭、黒バランス、マスキング値のすくなくとも１つを高精細テレビジョン映像信号の第１の適正値となるよう補正して出力する高精細テレビジョン映像信号用映像信号補正回路とを有する高精細テレビジョン撮像部と、前記高精細テレビジョン撮像素子からの前記補正された高精細テレビジョン映像信号を伝送する伝送路と、前記伝送路を介して伝送された前記補正された高精細テレビジョン映像信号を出力する高精細テレビジョン映像信号出力端子と、前記補正された高精細テレビジョン映像信号を第１の標準テレビジョン映像信号に変換して出力するテレビジョン信号変換回路と、該テレビジョン信号変換回路からの前記第１の標準テレビジョン映像信号のガンマ値、輪郭、黒バランス、マスキング値のすくなくとも１つを標準テレビジョン映像信号の第２の適正値となるよう補正して出力する前記テレビジョン信号変換回路に結合された標準テレビジョン映像信号用映像信号補正回路と、該標準テレビジョン映像信号用映像信号補正回路に結合された標準テレビジョン映像信号出力端子とを有する高精細テレビジョンカメラ装置としたものである。
【００１０】
また、前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部による調整値を示す標準テレビジョン映像信号用制御信号を出力する制御部とを備える制御装置を有し、前記高精細テレビジョン撮像部は、前記高精細テレビジョン撮像素子からの前記高精細テレビジョン映像信号のガンマ値、輪郭、黒バランス、マスキング値のすくなくとも１つの特性を前記制御装置からの前記高精細テレビジョン映像信号用制御信号が示す調整値となるよう補正して出力する高精細テレビジョン映像信号用映像信号補正回路を備え、前記カメラ制御部は、前記テレビジョン信号変換回路からの前記第１の標準テレビジョン映像信号のガンマ値、輪郭、黒バランス、マスキング値のすくなくとも１つを前記制御装置からの前記標準テレビジョン映像信号用制御信号が示す調整値となるよう補正して出力する標準テレビジョン映像信号用映像信号補正回路を備える高精細テレビジョンカメラ装置である。
【００１１】
また、前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部よる調整値を示す標準テレビジョン映像信号用制御信号を前記カメラ制御部に出力する制御部とを備える制御装置を有し、前記高精細テレビジョン撮像部は、前記高精細テレビジョン撮像素子からの前記高精細テレビジョン映像信号のガンマ値、輪郭、黒バランス、マスキング値のすくなくとも１つの特性を前記制御装置から前記カメラ制御部と前記伝送路とを介して伝送された前記高精細テレビジョン映像信号用制御信号が示す調整値となるよう補正して出力する高精細テレビジョン映像信号用映像信号補正回路を備え、前記カメラ制御部は、前記制御装置からの前記高精細テレビジョン映像信号用制御信号を前記伝送路を介して前記高精細テレビジョン撮像部に伝送すると共に前記制御装置からの標準テレビジョン映像信号用制御信号を標準テレビジョン映像信号用映像信号補正回路に与える中央処理装置と、前記テレビジョン信号変換回路からの前記第１の標準テレビジョン映像信号のガンマ値、輪郭、黒バランス、マスキング値のすくなくとも１つを前記中央処理装置からの前記標準テレビジョン映像信号用制御信号が示す調整値となるよう補正して出力する標準テレビジョン映像信号用映像信号補正回路を備える高精細テレビジョンカメラ装置である。
【００１２】
さらに、高精細テレビジョン撮像素子と該高精細テレビジョン撮像素子と伝送路を介して結合されたカメラ制御部とを有する高精細テレビジョンカメラ装置において、高精細テレビジョン映像信号を出力する高精細テレビジョン撮像素子と、該高精細テレビジョン撮像素子からの前記高精細テレビジョン映像信号のガンマ値、輪郭、黒バランス、マスキング値のすくなくとも１つの特性を前記高精細テレビジョン映像信号の第１の適正値となるよう補正して出力する高精細テレビジョン映像信号用映像信号補正回路と、前記補正された高精細テレビジョン映像信号を第１の標準テレビジョン映像信号に変換して出力するテレビジョン信号変換回路と、該テレビジョン信号変換回路からの前記第１の標準テレビジョン映像信号のガンマ値、輪郭、黒バランス、マスキング値のすくなくとも１つを標準テレビジョン映像信号の第２の適正値となるよう補正して出力する標準テレビジョン映像信号用映像信号補正回路とを備える高精細テレビジョン撮像部と、前記伝送路を介して伝送された、前記補正された高精細テレビジョン映像信号を出力する高精細テレビジョン映像信号出力端子と、前記補正された標準テレビジョン映像信号を出力する標準テレビジョン映像信号出力端子とを備えるカメラ制御部と、前記高精細テレビジョン映像信号のガンマ値、輪郭、黒バランス、マスキング値のすくなくとも１つの特性値を前記高精細テレビジョン映像信号の第１の適正値となるよう設定する高精細テレビジョン映像信号用特性値調整部と、前記第１の標準テレビジョン映像信号のガンマ値、輪郭、黒バランス、マスキング値のすくなくとも１つの特性値を前記標準テレビジョン映像信号の第２の適正値となるよう設定する標準テレビジョン映像信号用特性値調整部と、前記高精細テレビジョン映像信号用特性値調整部による調整値を示す高精細テレビジョン映像信号用制御信号及び前記標準テレビジョン映像信号用特性値調整部による調整値を示す標準テレビジョン映像信号用制御信号を前記高精細テレビジョン撮像部に出力する制御部とを有する制御装置とを有する高精細テレビジョンカメラ装置としたものである。
【００１３】
また、前記制御装置は、前記高精細テレビジョン映像信号の所定の特性値と前記標準テレビジョン映像信号の対応する所定の特性値とを連動して設定する特性値連動調整部を有し、前記制御部は、前記高精細テレビジョン映像信号用特性値調整部による設定値を前記特性値連動調整部の設定値により修正して前記高精細テレビジョン映像信号用制御信号として出力すると共に、前記標準テレビジョン映像信号用特性値調整部による設定値を前記特性値連動調整部の設定値により修正して前記標準テレビジョン映像信号用制御信号として出力する高精細テレビジョンカメラ装置である。
【００１４】
従って、この様に構成された高精細テレビジョンカメラ装置によれば、高精細テレビジョン映像信号の特性値と、高精細テレビジョン映像信号より信号変換された標準テレビジョン映像信号の各特性値を、適正値あるいは所要の値に調整可能である。
【発明の効果】
【００１５】
以上説明したように本発明によれば、高精細テレビジョンカメラ撮像部からの高精細テレビジョン映像信号と、高精細テレビジョン映像信号をテレビジョン信号変換回路で信号変換した標準テレビジョン映像信号とを、それぞれ所要のガンマ値の映像信号に調整することができ、また、それぞれ所要のガンマ値の映像信号に相関連動して調整することができる高精細テレビジョンカメラ装置を提供することができる。
【発明を実施するための最良の形態】
【００１６】
本発明による高精細テレビジョン撮像部(カメラヘッド)とテレビジョン信号変換回路を有するカメラコントロールユニットとを内蔵する高精細テレビジョンカメラ装置の実施例を、図１を参照して説明する。
図１は、本発明の高精細テレビジョン撮像部(カメラヘッド)とテレビジョン信号処理部とを内蔵する高精細テレビジョンカメラ装置（カラーテレビジョンカメラ装置、あるいは白黒テレビジョンカメラ装置でも良い。）の実施例のブロック図である。
【００１７】
図１において、１は高精細テレビジョン撮像部を構成するカメラヘッド、２は被写体を撮像する撮像レンズ、３は、撮像レンズ２からの入射光を映像信号に光電変換する、例えば電荷結合素子（ＣＣＤ）からなる撮像素子、４は、撮像素子３から入力された映像信号を所定レベルに増幅する前置増幅器である。
９は、前置増幅器４からの映像信号を処理する映像信号処理回路であり、前置増幅器４からの所定レベルの映像信号にガンマ補正を行う第１のガンマ補正回路５と、ガンマ補正回路５からのガンマ補正をされた映像信号に種々の特性の補正を行う映像信号補正回路６とを有する。第１のガンマ補正回路５は、入力された所定レベルの映像信号を高精細テレビジョン映像信号の所定のガンマ補正曲線に合わせて補正する。
即ち、高精細テレビジョンカメラ装置において、撮像素子のガンマ値を１．０、高精細テレビジョン用受像管のガンマ値をａとすると、第１のガンマ補正回路５は、前置増幅器４からの高精細テレビジョン映像信号のガンマ値を適正値、例えば１／ａとしたガンマ補正曲線に合わせて補正する。映像信号補正回路６は、第１のガンマ補正回路５からの高精細テレビジョン映像信号にニー処理、ホワイトクリップ処理、輪郭補償処理、白バランス調整処理、黒バランス調整処理、マスキング処理等を行い、高精細テレビジョン映像信号のこれら各特性の値を適正値にし、多重／分離回路７に与える。
【００１８】
多重／分離回路７は、映像信号処理回路９からの映像処理された高精細テレビジョン映像信号及び他の信号を多重化し、端子２７、ケーブル１９及び端子２８を介してカメラコントロールユニット１０に送出すると共に、カメラコントロールユニット１０から折り返し端子２８、ケーブル１９及び端子２７を介して伝送された制御信号３２を分離して中央処理装置（ＣＰＵ）８に与える。ＣＰＵ８は、多重／分離回路７から与えられた制御信号３２に従い映像信号処理回路９内のガンマ補正回路５及び映像信号補正回路６を制御すると共に、カメラヘッド１内の図示しない他の構成要素の制御も行う。
１０は高精細テレビジョンカメラを構成するカメラコントロールユニット(ＣＣＵ)である。１１は中央処理装置(ＣＰＵ)１６からの、カメラヘッド１内の回路を制御するための制御信号３２を多重化してカメラヘッド１に送出する多重／分離回路である。多重／分離回路１１は更に、カメラヘッド１からケーブル１９を介して伝送された高精細テレビジョン映像信号及び他の信号をそれぞれ分離し、分離した高精細テレビジョン映像信号を高精細テレビジョン映像信号出力端子１７に与えると共に、テレビジョン信号処理部１２に与える。高精細テレビジョン映像信号出力端子１７から出力される映像信号は、高精細テレビジョン映像信号として、図示していないビデオモニタ、ビデオテープレコーダ等の機器に出力される。高精細テレビジョン映像信号出力端子１７から出力される映像信号は、そのガンマ値等の各特性値が全て高精細テレビジョン映像信号として適正値となっている。
【００１９】
テレビジョン信号処理部１２は、テレビジョン信号変換回路１３と、ガンマ逆補正回路１４と、映像信号補正回路１５とを有する。テレビジョン信号変換回路１３は、多重／分離回路１１からの高精細テレビジョン映像信号を標準テレビジョン映像信号に変換してガンマ逆補正回路１４に与える。ガンマ逆補正回路１４はテレビジョン信号変換回路１３からの変換された標準テレビジョン映像信号のガンマ値１／ａを逆補正してガンマ値１の場合と同等の映像信号にするもので、テレビジョン信号変換回路１３からの標準テレビジョン映像信号をガンマ値ａの補正曲線に合わせて補正する。
映像信号補正回路１５は、ガンマ逆補正回路１４からの標準テレビジョン映像信号の各特性値を標準テレビジョン信号の適正値とするものである。即ち、標準テレビジョン映像信号のガンマ値に関しては、ガンマ逆補正回路１４からの映像信号を標準テレビジョン映像信号の適正ガンマ値とすべく例えば０．４５とする。同様に、映像信号補正回路１５は、ガンマ逆補正回路１４からの標準テレビジョン映像信号にニー処理、ホワイトクリップ処理、輪郭補償処理、白バランス調整処理、黒バランス調整処理、マスキング処理等を行い、各特性値を標準テレビジョン信号の適正値とする。映像信号補正回路１５からの標準テレビジョン映像信号は、標準テレビジョン映像信号出力端子１８から標準テレビジョン映像信号としてビデオモニタ、ビデオテープレコーダ等の機器に出力される。
【００２０】
１６は、ケーブル２４を介して送られた制御信号に従いカメラコントロールユニット１０内のガンマ逆補正回路１４及び映像信号補正回路１５の制御を行うＣＰＵであり、ＣＰＵ１６はカメラコントロールユニット１０内の図示しない他の構成要素の制御も行う。
２５はカメラヘッド１内の映像信号処理回路９及びＣＣＵ１０内のガンマ逆補正回路１４，映像信号補正回路１５の制御を行う遠隔制御部である映像特性制御部である。映像特性制御部２５は、高精細テレビジョン映像信号及び標準テレビジョン映像信号の各特性値を調整するための映像特性調整部５０と、映像特性調整部５０からの所望の特性値を示すアナログ信号（例えば、アナログ電圧値）をＡ／Ｄ（アナログ−デジタル）変換して所望の特性値を示すデジタル信号として出力するＡ／Ｄ変換器２０と、調整対象の特性を選択する特性選択スイッチ部７０と、ＣＰＵ２１とを有する。ＣＰＵ２１は，特性選択スイッチ部７０により選択された特性に対応するＡ／Ｄ変換器２０からのデジタル信号を取り込み、識別子を該デジタル信号の例えばヘッダ部に付して制御信号としてケーブル２４を介してＣＣＵ１０のＣＰＵ１６に伝送する。
【００２１】
映像特性調整部５０は、本実施例では、ガンマ調整部５１と、輪郭調整部５２と、黒バランス調整部５３と、マスキング調整部５４とを有する。ガンマ調整部５１は、高精細テレビジョン映像信号のガンマ値を調整するためのガンマ調整器５１ｈγ、標準テレビジョン映像信号のガンマ値を調整するためのガンマ調整器５１ｓγ、高精細テレビジョン映像信号のガンマ値と標準テレビジョン映像信号のガンマ値とを運連動して調整するためのガンマ連動調整器５１γとを有する。輪郭調整部５２は、高精細テレビジョン映像信号の輪郭値を調整するための輪郭調整器５２ｈｄ、標準テレビジョン映像信号の輪郭値を調整するための輪郭調整器５２ｓｄ、高精細テレビジョン映像信号の輪郭値と標準テレビジョン映像信号の輪郭値とを連動して調整するための輪郭連動調整器５２ｄとを有する。黒バランス調整部５３は、高精細テレビジョン映像信号の黒バランス値を調整するための黒バランス調整器５３ｈｂ、標準テレビジョン映像信号の黒バランス値を調整するための黒バランス調整器５３ｓｂ、高精細テレビジョン映像信号の黒バランス値と標準テレビジョン映像信号の黒バランス値とを連動して調整するための黒バランス連動調整器５３ｂとを有する。マスキング調整部５４は、高精細テレビジョン映像信号のマスキング値を調整するためのマスキング調整器５４ｈｍ、標準テレビジョン映像信号のマスキング値を調整するためのマスキング調整器５４ｓｍ、高精細テレビジョン映像信号のマスキング値と標準テレビジョン映像信号のマスキング値とを連動して調整するためのマスキング連動調整器５４ｍとを有する。これらの調整器の各々はボリュームやロータリエンコーダで構成されて良い。
【００２２】
操作者はこれら調整器のアナログ出力値を調整して高精細テレビジョン映像信号及び標準テレビジョン映像信号の各特性値を適正値または所望の値に調整する。
操作者がこれら調整器を調整する場合の具体例について述べる。高精細テレビジョン映像信号についてガンマ値を調整する場合、操作者はグレイ・スケール・チャートを撮像しながらその撮像されたグレイ・スケール・チャートの高精細テレビジョン映像信号を高精細テレビジョン映像信号用の波形モニタで確認し、その波形の増幅率が波形高に対し線形になるようにガンマ調整器５１ｈγを用いて調整する。また、標準テレビジョン映像信号についてガンマ値を調整する場合は、同様に標準テレビジョン映像信号を標準テレビジョン映像信号用の波形モニタで確認しガンマ調整器５１ｓγを用いて調整する。
高精細テレビジョン映像信号についてのガンマ値と標準テレビジョン映像信号についてのガンマ値とを連動して調整するための調整器５１γを用いることによっては、高精細テレビジョン映像信号および標準テレビジョン映像信号の少なくとも一方を波形モニタで確認しながら両信号のガンマ値に対し同様の傾向の調整効果を与えるようにする。
【００２３】
高精細テレビジョン映像信号について輪郭強調量を調整する場合、操作者は任意の被写体を撮像しながらその撮像された高精細テレビジョン映像信号の映像を高精細テレビジョン映像表示モニタで表示し、その映像に及ぼす輪郭強調の程度を輪郭調整器５２ｈｄを用いて調整する。また、標準テレビジョン映像信号について輪郭強調量を調整する場合は、同様に標準テレビジョン映像信号の映像を標準テレビジョン映像表示モニタで表示し輪郭調整器５２ｓｄを用いて調整する。高精細テレビジョン映像信号についての輪郭強調量と標準テレビジョン映像信号についての輪郭強調量とを連動して調整するための調整器５２ｄを用いることによっては、高精細テレビジョン映像信号および標準テレビジョン映像信号の少なくとも一方を表示モニタで表示しながら両信号の輪郭強調量に対し同様の傾向の調整効果を与えるようにする。
【００２４】
高精細テレビジョン映像信号について黒バランスを調整する場合、操作者は黒色および白色の被写体を撮像しながらその撮像された高精細テレビジョン映像信号を波形モニタで確認し、その波形のうち黒色と白色の被写体部分の波形高比が所定の比率になるように黒バランス調整器５３ｈｂを用いて調整する。また、標準テレビジョン映像信号について黒バランスを調整する場合は、同様に標準テレビジョン映像信号を波形モニタで確認し黒バランス調整器５３ｓｂを用いて調整する。
高精細テレビジョン映像信号についての黒バランスと標準テレビジョン映像信号についての黒バランスとを連動して調整するための調整器５３ｂを用いることによっては、高精細テレビジョン映像信号および標準テレビジョン映像信号の少なくとも一方を波形モニタで確認しながら両信号の黒バランスに対し同様の傾向の調整効果を与えるようにする。
【００２５】
高精細テレビジョン映像信号についてマスキング値を調整する場合、操作者は複数色のカラー・チャートを撮像しながらその撮像されたカラー・チャートの高精細テレビジョン映像信号の映像を高精細テレビジョン映像表示モニタで表示し、その表示された各色の発色の程度をマスキング調整器５４ｈｍを用いて調整する。また、標準テレビジョン映像信号についてガンマ値を調整する場合は、同様に標準テレビジョン映像信号の映像を標準テレビジョン映像表示モニタで表示しマスキング調整器５４ｓｍを用いて調整する。
高精細テレビジョン映像信号についてのマスキング値と標準テレビジョン映像信号についてのマスキング値とを連動して調整するための調整器５４ｍを用いることによっては、高精細テレビジョン映像信号の映像および標準テレビジョン映像信号の映像の少なくとも一方を表示モニタで表示しながら両信号のマスキング値に対し同様の傾向の調整効果を与えるようにする。
【００２６】
映像特性調整部５０の各調整器からの出カアナログ信号はＡ／Ｄ変換器２０によりデジタル信号に変換されてＣＰＵ２１に与えられる。
特性選択スイッチ部７０は、本実施例では、ガンマ選択スイッチ部７１と、輪郭選択スイッチ部７２と、黒バランス選択スイッチ部７３と、マスキング選択スイッチ部７４とを有する。ガンマ選択スイッチ部７１は、高精細テレビジョン映像信号のガンマ値調整を選択するためのガンマ選択スイッチ７１ｈγ、標準テレビジョン映像信号のガンマ値調整を選択するためのガンマ選択スイッチ７１ｓγ、高精細テレビジョン映像信号のガンマ値と標準テレビジョン映像信号のガンマ値とを連動して調整することを選択するためのガンマ選択スイッチ７１γとを有する。輪郭選択スイッチ部７２は、高精細テレビジョン映像信号の輪郭値調整を選択するための輪郭選択スイッチ７２ｈｄ、標準テレビジョン映像信号の輪郭値調整を選択するための輪郭選択スイッチ７２ｓｄ、高精細テレビジョン映像信号の輪郭値と標準テレビジョン映像信号の輪郭値とを連動して調整することを選択するための輪郭選択スイッチ７２ｄとを有する。黒バランス選択スイッチ部７３は、高精細テレビジョン映像信号の黒バランス値調整を選択するための黒バランス選択スイッチ７３ｈｂ、標準テレビジョン映像信号の黒バランス値調整を選択するための黒バランス選択スイッチ７３ｓｂ、高精細テレビジョン映像信号の黒バランス値と標準テレビジョン映像信号の黒バランス値とを連動して調整することを選択するための黒バランス選択スイッチ７３ｂとを有する。マスキング選択スイッチ部７４は、高精細テレビジョン映像信号のマスキング値調整を選択するためのマスキング選択スイッチ７４ｈｍ、標準テレビジョン映像信号のマスキング値調整を選択するためのマスキング選択スイッチ７４ｓｍ、高精細テレビジョン映像信号のマスキング値と標準テレビジョン映像信号のマスキング値とを連動して調整することを選択するためのマスキング選択スイッチ７４ｍとを有する。これらのスイッチの各々はオンされると該スイッチに対応する選択された調整対象を示す信号７５をＣＰＵ２ｌに与える。従って、操作者は、これらのスイッチを選択的にオンすることにより調整対象の特性を選択できる。
【００２７】
次に、このように構成された本発明による高精細テレビジョンカメラ装置の実施例の動作を説明する。図２は映像特性制御部２５のＣＰＵ２１の動作を示すフローチャートである。
先ず、操作者は、映像特性調整部５０の調整器のうち調整したい調整器（例えば、高精細テレビジョン映像信号のガンマ値調整用の調整器５１ｈγ）を調整する。次いで、特性選択スイッチ部７０のスイッチの内、調整対象の特性に対応するスイッチ（即ち、高精細テレビジョン映像信号のガンマ値調整用のガンマ選択スイッチ７１ｈγ）を選択的にオンする。ＣＰＵ２１は、特性選択スイッチ部７０のいずれかのスイッチがオンされたかどうか、即ち、特性選択スイッチ部７０から調整対象を示す信号７５が入力されたかどうかチェックする（ステップｌ００）。ＣＰＵ２１は、特性選択スイッチ部７０から調整対象を示す信号７５を受信すると、オンされたスイッチに対応する調整器（即ち、ガンマ調整器５１ｈγ）の調整値を示す出力信号をＡ／Ｄ変換器２０から読み出して取り込む（ステップ１０２）。次いで、取り込んだデジタル信号の例えばヘッダ部に、調整対象を示す識別子を付して、それらを制御信号３２ｈγ（高精細テレビジョン映像信号のガンマ値の調整値を示す信号）としてケーブル２４を介してＣＣＵ１０のＣＰＵ１６に伝送する（ステップ１０４）。
同様に、標準テレビジョン映像信号についてのガンマ調整器５１ｓγを調整した場合には、標準テレビジョン映像信号のガンマ値調整用のガンマ選択スイッチ７１ｓγをオンすると、ＣＰＵ２１は、調整対象を示す識別子をヘッダ部に有した、ガンマ調整器５１ｓγによる調整値を示す制御信号３１ｓγを出力する。
【００２８】
一方、輪郭値についての輪郭調整器５２ｈｄを調整した場合には、高精細テレビジョン映像信号の輪郭値調整用の輪郭選択スイッチ７２ｈｄをオンすると、ＣＰＵ２１は、調整対象を示す識別子をヘッダ部に有した、輪郭調整器５２ｈｄによる調整値を示す制御信号３２ｈｄを出力する。また、標準テレビジョン映像信号の輪郭値についての輪郭調整器５２ｓｄを調整した場合には、標準テレビジョン映像信号の輪郭値調整用の輪郭選択スイッチ７２ｓｄをオンすると、ＣＰＵ２１は、調整対象を示す識別子をヘッダ部に有した、輪郭調整器５２ｓｄによる調整値を示す制御信号３１ｓｄを出力する。
更に、高精細テレビジョン映像信号の黒バランス値についての黒バランス調整器５３ｈｂを調整した場合には、高精細テレビジョン映像信号の黒バランス値調整用の黒バランス選択スイッチ７２ｈｂをオンすると、ＣＰＵ２１は、調整対象を示す識別子をヘッダ部に有した、黒バランス調整器５３ｈｂによる調整値を示す制御信号３２ｈｂを出力する。また、標準テレビジョン映像信号の黒バランス値についての黒バランス調整器５３ｓｂを調整した場合には、標準テレビジョン映像信号の黒バランス値調整用の黒バランス選択スイッチ７２ｓｂをオンすると、ＣＰＵ２１は、調整対象を示す識別子をヘッダ部に有した、黒バランス調整器５３ｓｂによる調整値を示す制御信号３１ｓｂを出力する。
更に、高精細テレビジョン映像信号のマスキング値についてのマスキング調整器５４ｈｍを調整した場合には、高精細テレビジョン映像信号のマスキング値調整用のマスキング選択スイッチ７２ｈｍをオンすると、ＣＰＵ２１は、調整対象を示す識別子をヘッダ部に有した、マスキング調整器５４ｈｍによる調整値を示す制御信号３２ｈｍを出力する。また、標準テレビジョン映像信号のマスキング値についてのマスキング調整器５４ｓｍを調整した場合には、標準テレビジョン映像信号のマスキング値調整用のマスキング選択スイッチ７２ｓｍをオンすると、ＣＰＵ２１は、調整対象を示す識別子をヘッダ部に有した、マスキング調整器５４ｓｍによる調整値を示す制御信号３１ｓｍを出力する。
【００２９】
以下に、遠隔制御部２５からの制御信号に応答したＣＣＵ１０での動作を説明する。図３はＣＣＵ１０内のＣＰＵ１６の動作を説明するフローチャートである。ＣＰＵ１６は、遠隔制御部２５よりケーブル２４を介して制御信号を受信したかどうか判別し（ステップ２００）、制御信号を受信した場合には、そのヘッダ部の識別子より受信した制御信号が高精細テレビジョン映像信号の調整値を示す制御信号３２（３２ｈγ、３２ｈｄ、３２ｈｂ，３２ｈｍ）のいずれかどうか判定する（ステップ２０２）。受信した制御信号が制御信号３２ｈγ、３２ｈｄ、３２ｈｂ，３２ｈｍのいずれかである場合には、当該制御信号を多重／分離回路１１に出力する（ステップ２０４）。多重／分離回路１１は、受信した制御信号３２を他の信号と多重化してケーブル１９を介してカメラヘッド１に送出するカメラヘッド１に伝送された制御信号３２は多重／分離回路７で受信されて分離され、ＣＰＵ８に与えられる。ＣＰＵ８は、受信した制御信号３２が高精細テレビジョン映像信号のガンマ値の調整値を示す信号３２ｈγである場合には、該信号３２ｈγをガンマ補正回路５に与え、前置アンプ４からの高精細テレビジョン映像信号のガンマ値をガンマ調整器５１ｈγによる調整値Ｖｈγに設定する。
【００３０】
一方、ＣＰＵ８は、受信した制御信号３２が高精細テレビジョン映像信号の輪郭、黒バランス、マスキング調整値を示す信号３２ｈｄ，３２ｈｂ，３２ｈｍのいずれかである場合は、制御信号３２を映像信号補正回路６に与え、調整値に対応した輪郭補償処理、黒バランス調整処理、マスキング処理のいずれかを行わせ、対応する特性値を調整値にする。
尚、ＣＰＵ１６は、受信した制御信号が高精細テレビジョン映像信号のガンマ値の調整値Ｖｈγを示す制御信号３２ｈγである場合には、その逆数１／Ｖｈγをガンマ逆補正値として示す制御信号３３ｓγをガンマ逆補正回路１４に与える。従って、ガンマ逆補正回路１４はテレビジョン信号変換回路１３からの標準テレビジョン映像信号に対しガンマ値１／Ｖｈγとしたガンマ補正曲線に合わせて逆補正する。
【００３１】
一方、ＣＰＵ１６は、遠隔制御部２５よりケーブル２４を介して受信した制御信号がそのヘッダ部の識別子より標準テレビジョン映像信号の調整値を示す制御信号３１（３１ｓγ、３１ｓｄ、３１ｓｂ，３１ｓｍ）のいずれかどうか判定する（ステップ２０６）。受信した制御信号が標準テレビジョン映像信号のガンマ、輪郭、黒バランス、マスキング調整値を示す制御信号３１ｓγ、３１ｓｄ、３１ｓｂ，３１ｓｍのいずれかである場合には、当該制御信号を映像信号補正回路１５に与え、映像信号補正回路１５により調整値に対応したガンマ補正処理、輪郭補償処理、黒バランス調整処理、マスキング処理の少なくともいずれかを行わせ、対応する特性値を調整値にするようにする。
【００３２】
上記のように、操作者は、映像特性調整部５０、特にその内、特性選択スイッチ部７０により所望の特性を選択しかつ特性値を調整して、高精細テレビジョン映像信号出力端子１７から出力される高精細テレビジョン映像信号と標準テレビジョン映像信号出力端子１８から出力される標準テレビジョン映像信号の特性値を適正値に設定できる。また、映像特性調整部５０の調整器により特性値を修正すれば、高精細テレビジョン映像信号及び／又は標準テレビジョン映像信号の対応する特性値を所望値に修正できる。例えば、標準テレビジョン映像信号のガンマ値の適正値は０．４５であるが、使用者の好みに応じて調整器５１ｓγを調整することにより任意の値に修正できる。
更に、上記のように、ある特性値について、高精細テレビジョン映像信号及び標準テレビジョン映像信号の特性値を個別に調整するのではなく、それらの特性値を連動して同時に調整するようにする場合には、調整器５１γ、５２ｄ，５３ｂ，５４ｍを使用する。
【００３３】
即ち、高精細テレビジョン映像信号のガンマ値と標準テレビジョン映像信号のガンマ値とを連動して調整するためのガンマ連動調整器５１γを調整した場合には、ガンマ選択スイッチ７１γをオンする。すると、ＣＰＵ２１は、ガンマ連動調整器５１γによる調整値をＡ／Ｄ変換器２０より読み込むと共に、高精細テレビジョン映像信号用のガンマ調整器５１ｈγ及び標準テレビジョン映像信号用のガンマ調整器５１ｓγよる調整値をＡ／Ｄ変換器２０より読み込む。ＣＰＵ２１は、例えば、ガンマ調整器５１ｈγによる調整値にガンマ連動調整器５１γによる調整値を加算して高精細テレビジョン映像信号用のガンマ値調整値とし、該ガンマ値調整値を示す制御信号３２ｈγを出力する。同様に、ガンマ調整器５１ｓγによる調整値にガンマ連動調整器５１γによる調整値を加算して標準テレビジョン映像信号用のガンマ値調整値とし、該ガンマ値調整値を示す制御信号３１ｓγを出力する。
【００３４】
同様に、高精細テレビジョン映像信号の輪郭値と標準テレビジョン映像信号の輪郭値とを連動して調整するための輪郭連動調整器５２ｄを調整した場合には、輪郭選択スイッチ７２ｄをオンする。すると、ＣＰＵ２１は、輪郭調整器５２ｄによる調整値をＡ／Ｄ変換器２０より読み込むと共に、高精細テレビジョン映像信号用の輪郭調整器５２ｈｄ及び標準テレビジョン映像信号用の輪郭調整器５２ｓｄよる調整値をＡ／Ｄ変換器２０より読み込む。ＣＰＵ２１は、例えば、輪郭調整器５２ｈｄによる調整値に輪郭連動調整器５２ｄによる調整値を加算して高精細テレビジョン映像信号用の輪郭値調整値とし、該輪郭値調整値を示す制御信号３２ｈｄを出力する。同様に、輪郭調整器５２ｓｄによる調整値に輪郭連動調整器５２ｄによる調整値を加算して標準テレビジョン映像信号用の輪郭値調整値とし、該輪郭値調整値を示す制御信号３１ｓｄを出力する。
【００３５】
同様に、高精細テレビジョン映像信号の黒バランス値と標準テレビジョン映像信号の黒バランス値とを連動して調整するための黒バランス連動調整器５３ｂを調整した場合には、黒バランス選択スイッチ７３ｂをオンする。すると、ＣＰＵ２１は、黒バランス連動調整器５３ｂによる調整値をＡ／Ｄ変換器２０より読み込むと共に、高精細テレビジョン映像信号用の黒バランス調整器５３ｈｂ及び標準テレビジョン映像信号用の黒バランス調整器５３ｓｂよる調整値をＡ／Ｂ変換器２０より読み込む。ＣＰＵ２１は、例えば、黒バランス調整器５３ｈｂによる調整値に黒バランス連動調整器５３ｂによる調整値を加算して高精細テレビジョン映像信号用の黒バランス値調整値とし、該黒バランス値調整値を示す制御信号３２ｈｂを出力する。同様に、黒バランス調整器５３ｓｂによる調整値に黒バランス連動調整器５３ｂによる調整値を加算して標準テレビジョン映像信号用の黒バランス値調整値とし、該黒バランス値調整値を示す制御信号３１ｓｂを出力する。
【００３６】
同様に、高精細テレビジョン映像信号のマスキング値と標準テレビジョン映像信号のマスキング値とを連動して調整するためのマスキング連動調整器５４ｍを調整した場合には、マスキング選択スイッチ７４ｍをオンする。すると、ＣＰＵ２１は、マスキング連動調整器５４ｍによる調整値をＡ／Ｄ変換器２０より読み込むと共に、高精細テレビジョン映像信号用のマスキング調整器５４ｈｎ及び標準テレビジョン映像信号用のマスキング調整器５４ｓｍによる調整値をＡ／Ｄ変換器２０より読み込む。ＣＰＵ２１は、例えば、マスキング調整器５４ｈｍによる調整値にマスキング連動調整器５４ｍによる調整値を加算して高精細テレビジョン映像信号用のマスキング値調整値とし、該マスキング値調整値を示す制御信号３２ｈｍを出力する。同様に、マスキング調整器５４ｓｍによる調整値にマスキング連動調整器５４ｍによる調整値を加算して標準テレビジョン映像信号用のマスキング値調整値とし、該マスキング値調整値を示す制御信号３１ｓｍを出力する。
ＣＰＵ１６は、遠隔制御部２５よリケーブル２４を介して受信した制御信号のヘッダ部の識別子より，該制御信号が高精細テレビジョン映像信号用の制御信号３２（３１ｈγ、３１ｈｄ、３１ｈｂ，３１ｈｍ）であれば多重／分離回路１１に伝送し、標準テレビジョン映像信号用の制御信号３１（３１ｓγ、３１ｓｄ、３１ｓｂ，３１ｓｍ）のいずれかであれば映像信号補正回路１５に送る。尚、上記と同様に、ＣＰＵ１６は、受信した制御信号が高精細テレビジョン映像信号のガンマ値の調整値Ｖｈγを示す制御信号３２ｈγである場合には、その逆数１／Ｖｈγをガンマ逆補正値として示す制御信号３３ｓγをガンマ逆補正回路１４に与える。
【００３７】
上述のように、本発明の高精細テレビジョン映像信号を標準テレビジョン映像信号に変換するテレビジョン信号変換回路を内蔵する高精細テレビジョンカメラ装置は、高精細テレビジョン映像信号と標準テレビジョン映像信号のそれぞれの各特性値をそれぞれ所要の特性値に調整することができる。また、各特性値について、高精細テレビジョン映像信号の特性値と標準テレビジョン信号の特性値とを相関連動して所要値に調整することができるため、高精細テレビジョン映像信号および標準テレビジョン映像信号それぞれに対して、同時に適正なまたは所望の値を速やかに設定することができる。
【００３８】
上記の実施例においては、テレビジョン信号処理部１２内にガンマ逆補正回路１４を設けているため、カメラヘッド１に標準テレビジョン映像信号専用の回路を設けることなくカメラヘッド１の構成を小型化でき、またケーブル１９は高精細テレビジョン映像信号と標準テレビジョン映像信号のうち高精細テレビジョン映像信号のみを伝送するためのケーブルとすればよく、そのため、ケーブルの容量を小さくできる。
尚、上記の実施例においては、遠隔制御部２５とＣＣＵ１０はケーブル２４で接続されているが、無線で制御信号を伝送するように構成しても良い。
尚、上記の実施例においては、テレビジョン信号処理部１２内にガンマ逆補正回路１４を設け、テレビジョン信号変換回路１３からの標準テレビジョン映像信号のガンマ特性を一旦、線形に戻しており、その後、映像信号補正回路１５において標準テレビジョン映像信号のガンマ値を適正値（０．４５）に設定している。一方、ガンマ逆補正回路１４を設けずに、テレビジョン信号変換回路１３からの標準テレビジョン映像信号のガンマ特性を映像信号補正回路１５において、直接、適正値に補正するように構成しても良い。但し、標準テレビジョン映像信号の画質は前者の構成の方が良い。
【００３９】
また、上記の実施例においては、テレビジョン信号処理部１２をＣＣＵ１０内に設けたが、図４に示すようにカメラヘッド１内に設けるようにしても良い。この場合は、多重／分離回路７は映像信号処理回路９からの高精細テレビジョン映像信号とテレビジョン信号処理部１２からの標準テレビジョン映像信号とを多重化してケーブル１９に伝送し、多重／分離回路１１は高精細テレビジョン映像信号と標準テレビジョン映像信号とを分離して出力端子１７，１８にそれぞれ与える。また、ＣＰＵ１６は設けずに、ＣＰＵ２１からの制御信号３１，３２は直接多重／分離回路１１を介してカメラヘッド１内のＣＰＵ８に与えられ、ＣＰＵ８において制御信号３１，３２が分離されて映像信号処理回路９及びテレビジョン信号処理部１２に与えられる。
【図面の簡単な説明】
【００４０】
【図１】本発明の高精細テレビジョンカメラ装置の一実施例のブロック構成を示す図。
【図２】映像特性制御部２５のＣＰＵ２１の動作を示すフローチャート。
【図３】ＣＣＵ１０のＣＰＵ１６の動作を説明するフローチャート。
【図４】本発明の高精細テレビジョンカメラ装置の別の実施例のブロック構成を示す図。
【符号の説明】
【００４１】
１：カメラヘッド、２：撮像レンズ、３：撮像素子、４：前置増幅器、５：ガンマ補正回路、６：映像信号補正回路、７：多重／分離回路、８：ＣＰＵ、１０：カメラ制御部（カメラコントロールユニット）、１１：多重／分離回路、１２：テレビジョン信号処理部、１３：テレビジョン信号変換回路、１４：ガンマ逆補正回路、１５：映像信号補正回路、１６：ＣＰＵ、１７：高精細テレビジョン映像信号出力端子、１８：標準テレビジョン映像信号出力端子、２０：Ａ／Ｄ変換器、２１：ＣＰＵ、２５：映像特性制御部、５０：映像特性調整部、７０：特性選択スイッチ部。
【図１】
2005260999.tif 000003
【図２】
2005260999.tif 000004
【図３】
2005260999.tif 000005
【図４】
2005260999.tif 000006